(57)【要約】【課題】複合材料の板体により構成された打撃面とクラブヘッド本体との結合強度を高めるゴルフクラブヘッドを提供する。【解決手段】ゴルフクラブヘッド１００は、クラブヘッド本体１１０、打撃面１２０及び結合ブロック１３０を備える。クラブヘッド本体１１０は、正面、サイド部及びホーゼル部を有し、サイド部及びホーゼル部は、それぞれ正面の両側に配置されている。打撃面１２０は、クラブヘッド本体１１０の正面に形成され、第１の板体１２１及び第２の板体１２２を有する。第１の板体１２１は、前方打撃面１２１ａ及び背面１２１ｂを有し、第２の板体１２２は、第１の板体１２１と異なる材料からなり、結合正面１２２ａ及び当接背面１２２ｂを有し、結合正面１２２ａは、第１の板体１２１の背面１２１ｂに結合され、当接背面１２２ｂは、クラブヘッド本体１１０の正面に結合されている。【選択図】図３
0003132561.tif 000002
【実用新案登録請求の範囲】
【請求項１】
クラブヘッド本体、打撃面及び結合ブロックを備えるゴルフクラブヘッドであって、
前記クラブヘッド本体は、正面、サイド部及びホーゼル部を有し、
前記サイド部及び前記ホーゼル部は、それぞれ前記正面の両側に配置され、
前記打撃面は、前記クラブヘッド本体の前記正面に形成され、第１の板体及び第２の板体を有し、
前記第１の板体は、前方打撃面及び背面を有し、
前記第２の板体は、前記第１の板体と異なる材料からなり、結合正面及び当接背面を有し、
前記結合正面は、前記第１の板体の前記背面に結合され、
前記当接背面は、前記クラブヘッド本体の前記正面に結合され、
前記結合ブロックは、前記クラブヘッド本体の前記ホーゼル部と前記打撃面との間に結合され、前記第２の板体との溶接性が良好な材料からなることを特徴とするゴルフクラブヘッド。
【請求項２】
前記クラブヘッド本体の材料は、炭素鋼、ステンレス鋼、合金鋼、Ｆｅ−Ｍｎ−Ａｌ合金、ニッケル合金、鋳鉄、超合金鋼、チタン合金、アルミニウム合金及び銅合金からなる群から選択されることを特徴とする請求項１に記載のゴルフクラブヘッド。
【請求項３】
前記第１の板体は、弾性変形機能が高い材料からなることを特徴とする請求項１に記載のゴルフクラブヘッド。
【請求項４】
前記第１の板体の材料は、炭素鋼、ステンレス鋼、Ｆｅ−Ｍｎ−Ａｌ合金、チタン合金、アルミニウム合金及び銅合金からなる群から選択されることを特徴とする請求項３に記載のゴルフクラブヘッド。
【請求項５】
前記第２の板体は、振動を吸収する材料からなることを特徴とする請求項１に記載のゴルフクラブヘッド。
【請求項６】
前記第２の板体の材料は、炭素鋼、ステンレス鋼、合金鋼、マグネシウム合金、ニッケル合金、鋳鉄、超合金鋼、アルミニウム合金及び銅合金からなる群から選択されることを特徴とする請求項５に記載のゴルフクラブヘッド。
【請求項７】
前記結合ブロックの材料は、炭素鋼、ステンレス鋼、合金鋼、マグネシウム合金、ニッケル基合金、鋳鉄、超合金鋼、アルミニウム合金及び銅合金からなる群から選択されることを特徴とする請求項１に記載のゴルフクラブヘッド。
【請求項８】
前記第２の板体は、前記クラブヘッド本体との溶接性が良好な材料からなることを特徴とする請求項１に記載のゴルフクラブヘッド。
【請求項９】
前記結合ブロックは、前記クラブヘッド本体との溶接性が良好な材料からなることを特徴とする請求項１に記載のゴルフクラブヘッド。
【請求項１０】
前記第１の板体と前記第２の板体とは、爆発溶接により結合されることを特徴とする請求項１に記載のゴルフクラブヘッド。
【請求項１１】
前記打撃面は、前記第１の板体と前記第２の板体との間にある爆発溶接層を有することを特徴とする請求項１０に記載のゴルフクラブヘッド。
【請求項１２】
前記第１の板体と前記第２の板体とは、プレスにより結合されることを特徴とする請求項１に記載のゴルフクラブヘッド。
【請求項１３】
前記打撃面は、前記第１の板体と前記第２の板体との間にあるプレス層を有することを特徴とする請求項１２に記載のゴルフクラブヘッド。
【請求項１４】
前記第１の板体と前記第２の板体とは、接着により結合されることを特徴とする請求項１に記載のゴルフクラブヘッド。
【請求項１５】
前記第２の板体と前記クラブヘッド本体とは、アルゴン溶接、レーザ溶接、電子ビーム溶接、プラズマ溶接、ろう付け、接着、嵌設及び螺合からなる群から選択される結合方法で結合されていることを特徴とする請求項１に記載のゴルフクラブヘッド。
【請求項１６】
前記第１の板体と前記第２の板体とは、長さが異なることを特徴とする請求項１に記載のゴルフクラブヘッド。
【請求項１７】
前記結合ブロックは、矩形状ブロックであることを特徴とする請求項１に記載のゴルフクラブヘッド。
【請求項１８】
前記結合ブロックは、Ｌ字状ブロックであることを特徴とする請求項１に記載のゴルフクラブヘッド。
【請求項１９】
前記クラブヘッド本体は、前記クラブヘッド本体の前記ホーゼル部に隣接した箇所に形成され、形状が階段状であり、前記結合ブロックと結合された当接壁をさらに有することを特徴とする請求項１に記載のゴルフクラブヘッド。
【請求項２０】
クラブヘッド本体、打撃面及び結合ブロックを備えるゴルフクラブヘッドであって、
前記クラブヘッド本体は、正面、サイド部、ホーゼル部及び当接壁を有し、
前記サイド部及び前記ホーゼル部は、それぞれ前記正面の両側に配置され、
前記当接壁は、前記クラブヘッド本体の前記ホーゼル部に隣接した箇所に形成され、
前記打撃面は、前記クラブヘッド本体の前記正面に形成され、第１の板体及び第２の板体を有し、
前記第１の板体は、前方打撃面及び背面を有し、
前記第２の板体は、前記第１の板体と異なる材料からなり、結合正面及び当接背面を有し、
前記結合正面は、前記第１の板体の前記背面に結合され、
前記当接背面は、前記クラブヘッド本体の前記正面に結合され、
前記結合ブロックは、前記クラブヘッド本体の前記ホーゼル部と前記打撃面との間に配置されるとともに前記クラブヘッド本体の前記当接壁に結合され、前記第２の板体との溶接性が良好である材料からなることを特徴とするゴルフクラブヘッド。
【考案の詳細な説明】
【技術分野】
【０００１】
本考案は、ゴルフクラブヘッドに関し、特に結合ブロック構造を有するゴルフクラブヘッドに関する。
【背景技術】
【０００２】
ゴルフクラブヘッドの構造において、ゴルフクラブヘッドの打撃面は、ゴルフボールに直接接触し、クラブヘッドにおいて力が加わる主要な箇所である。打撃面の材料には、高い強度、延伸性及び靭性が基本的に求められていた。また、クラブヘッドの打撃面に発生する角度変化を低減させ、打撃面の材料の靭性（弾性変形の容易性）を向上させ、接触時間を延ばすことにより、安定性とゴルフボールの飛行角度を向上させる事が、打撃面を設計する際、重要であった。
【０００３】
図１を参照する。図１は、従来のゴルフクラブヘッドを示す断面図である。従来のゴルフクラブヘッド９００は、クラブヘッド本体９１０に複合式の打撃面９２０を結合させることにより、ゴルフクラブヘッド９００の打撃効果を高めていた。この複合式の打撃面９２０は、第１の板体９２１と第２の板体９２２との結合により構成され、第１の板体９２１（例えば、チタン金属材料）は、ゴルフボールを直接打撃するために用いられている。第２の板体９２２（例えば、ステンレス材料）は、クラブヘッド本体９１０との溶接性が良好な材料からなり、複合式の打撃面９２０は、溶接によりクラブヘッド本体９１０に結合されている。第１の板体９２１のチタン金属材料は、軽量、高強度、耐腐食性などの特性を有するため、ゴルフクラブヘッド９００は、この複合式の打撃面９２０により、高い打撃効果を得ていた。
【０００４】
しかし、クラブヘッド本体９１０と複合式の打撃面９２０との結合構造において、第１の板体９２１（チタン金属）とクラブヘッド本体９１０との溶接性が良好でないため（つまり、第１の板体９２１とクラブヘッド本体９１０との接合面は、溶接結合が良好でない。）、複合式の打撃面９２０とクラブヘッド本体９１０との結合安定性が低下し、ゴルフクラブヘッド９００全体の構造強度及び打撃効果に悪い影響を与えることがあった。
【考案の開示】
【考案が解決しようとする課題】
【０００５】
本考案の目的は、複合材料の板体により構成された打撃面とクラブヘッド本体との結合強度を高めるゴルフクラブヘッドを提供することにある。
【課題を解決するための手段】
【０００６】
上述の目的を達成するため、請求項１の考案では、クラブヘッド本体、打撃面及び結合ブロックを備えたゴルフクラブヘッドであって、前記クラブヘッド本体は、正面、サイド部及びホーゼル部を有し、前記サイド部及び前記ホーゼル部は、それぞれ前記正面の両側に配置され、前記打撃面は、前記クラブヘッド本体の前記正面に形成され、第１の板体及び第２の板体を有し、前記第１の板体は、前方打撃面及び背面を有し、前記第２の板体は、前記第１の板体と異なる材料からなり、結合正面及び当接背面を有し、前記結合正面は、前記第１の板体の前記背面に結合され、前記当接背面は、前記クラブヘッド本体の前記正面に結合され、前記結合ブロックは、前記クラブヘッド本体の前記ホーゼル部と前記打撃面との間に結合され、前記結合ブロックは、前記第２の板体との溶接性が良好な材料からなることを特徴とする。
【０００７】
請求項２の考案では、前記クラブヘッド本体の材料は、炭素鋼、ステンレス鋼、合金鋼、Ｆｅ−Ｍｎ−Ａｌ合金、ニッケル基合金、鋳鉄、超合金鋼、チタン合金、アルミニウム合金及び銅合金からなる群から選択することを特徴とする。
請求項３の考案では、前記第１の板体は、弾性変形機能が高い材料からなることを特徴とする。
【０００８】
請求項４の考案では、前記第１の板体の材料は、炭素鋼、ステンレス鋼、Ｆｅ−Ｍｎ−Ａｌ合金、チタン合金、アルミニウム合金及び銅合金からなる群から選択することを特徴とする。
請求項５の考案では、前記第２の板体は、振動を吸収する材料からなることを特徴とする。
【０００９】
請求項６の考案では、前記第２の板体の材料は、炭素鋼、ステンレス鋼、合金鋼、マグネシウム合金、ニッケル基合金、鋳鉄、超合金鋼、アルミニウム合金及び銅合金からなる群から選択することを特徴とする。
請求項７の考案では、前記結合ブロックの材料は、炭素鋼、ステンレス鋼、合金鋼、マグネシウム合金、ニッケル基合金、鋳鉄、超合金鋼、アルミニウム合金及び銅合金からなる群から選択することを特徴とする。
【００１０】
請求項８の考案では、前記第２の板体は、前記クラブヘッド本体との溶接性が良好な材料からなることを特徴とする。
請求項９の考案では、前記結合ブロックは、前記クラブヘッド本体との溶接性が良好な材料からなることを特徴とする。
請求項１０の考案では、前記第１の板体と前記第２の板体とは、爆発溶接により結合されることを特徴とする。
【００１１】
請求項１１の考案では、前記打撃面は、前記第１の板体と前記第２の板体との間にある爆発溶接層を有することを特徴とする。
請求項１２の考案では、前記第１の板体と前記第２の板体とは、プレスにより結合することを特徴とする。
請求項１３の考案では、前記打撃面は、前記第１の板体と前記第２の板体との間にあるプレス層を有することを特徴とする。
【００１２】
請求項１４の考案では、前記第１の板体と前記第２の板体とは、接着により結合される
請求項１５の考案では、前記第２の板体と前記クラブヘッド本体との結合方法は、アルゴン溶接、レーザ溶接、電子ビーム溶接、プラズマ溶接、ろう付け、接着、嵌設及び螺合からなる群から選択することを特徴とする。
【００１３】
請求項１６の考案では、前記第１の板体と前記第２の板体とは、長さが異なることを特徴とする。
請求項１７の考案では、前記結合ブロックは矩形状ブロックであることを特徴とする。
請求項１８の考案では、前記結合ブロックはＬ字状ブロックであることを特徴とする。
請求項１９の考案では、前記クラブヘッド本体は、前記クラブヘッド本体の前記ホーゼル部に隣接した箇所に形成され、形状が階段状であり、前記結合ブロックと結合された当接壁をさらに有することを特徴とする。
【００１４】
請求項２０の考案では、クラブヘッド本体、打撃面及び結合ブロックを備えたゴルフクラブヘッドであって、前記クラブヘッド本体は、正面、サイド部、ホーゼル部及び当接壁を有し、前記サイド部及び前記ホーゼル部は、それぞれ前記正面の両側に配置され、前記当接壁は、前記クラブヘッド本体の前記ホーゼル部に隣接した箇所に形成され、前記打撃面は、前記クラブヘッド本体の前記正面に形成され、第１の板体及び第２の板体を有し、前記第１の板体は、打撃正面及び背面を有し、前記第２の板体は、前記第１の板体と異なる材料からなり、結合正面及び当接背面を有し、前記結合正面は、前記第１の板体の前記背面に結合され、前記当接背面は、前記クラブヘッド本体の前記正面に結合され、前記結合ブロックは、前記クラブヘッド本体の前記ホーゼル部と前記打撃面との間に配置されるとともに前記クラブヘッド本体の前記当接壁に結合され、前記結合ブロックは、前記第２の板体との溶接性が良好である材料からなることを特徴とするゴルフクラブヘッド。
【考案の効果】
【００１５】
本考案のゴルフクラブヘッドは、クラブヘッド本体と打撃面との間に結合ブロックを配置することによりゴルフクラブヘッドの結合構造（特に、複合材料の板体により構成された打撃面）の強度を向上させ、ゴルフクラブヘッド全体の構造強度及びボールの打撃効果を向上させることができる。
【考案を実施するための最良の形態】
【００１６】
以下、本考案の実施形態を図面に基づいて説明する。
（第１実施形態）
図２及び図３を参照する。図２は、本考案の第１実施形態によるゴルフクラブヘッドを示す分解斜視図である。図３は、本考案の第１実施形態によるゴルフクラブヘッドを示す断面図である。第１実施形態のゴルフクラブヘッド１００（例えば、アイアン型ゴルフクラブヘッド）は、クラブヘッド本体１１０、打撃面１２０及び結合ブロック１３０を備える。ゴルフボール（図示せず）に直接接触する打撃面１２０は、クラブヘッド本体１１０の正面に設けられている。結合ブロック１３０は、クラブヘッド本体１１０と打撃面１２０との結合安定性を向上させ、ゴルフクラブヘッド１００の全体構造強度を高めるために、クラブヘッド本体１１０と打撃面１２０との間に接合されている。
【００１７】
図２及び図３を参照する。図２及び図３に示すように、第１実施形態のクラブヘッド本体１１０は、炭素鋼（例えば、Ｓ２０Ｃ又はＳ２０Ｃ炭素鋼）、ステンレス鋼（例えば、１７−４ＰＨステンレス鋼）、合金鋼、Ｆｅ−Ｍｎ−Ａｌ合金、ニッケル基合金、鋳鉄、超合金鋼、チタン合金（例えば、Ｔｉ６Ａｌ４Ｖ又はＣＰＴｉチタン合金）、アルミニウム合金、銅合金などの金属材料からなり、その製造方法は、例えば、鋳造、鍛造又は機械加工である。クラブヘッド本体１１０は、開口１１１、当接面１１２、当接壁１１３及びホーゼル部１１４を有する。クラブヘッド本体１１０は、サイド部ａ、ホーゼル部ｂ、クラウン部ｃ及びソール部ｄを有する。サイド部ａ及びホーゼル部ｂは、それぞれクラブヘッド本体１１０の正面の両側に設けられ、クラウン部ｃ及びソール部ｄは、それぞれクラブヘッド本体１１０の上側及び下側に設けられている。クラブヘッド本体１１０の正面には、開口１１１が設けられ、開口１１１の外縁には当接面１１２が環設されている。開口１１１に隣接したホーゼル部ｂの一側には当接壁１１３が形成され、クラブヘッド本体１１０の一側にはホーゼル部１１４が突出しており、ホーゼル部ｂによりゴルフクラブヘッドのシャフト（図示せず）と結合されている。
【００１８】
図２及び図３を示す。図２及び図３に示すように、第１実施形態の打撃面１２０は、第１の板体１２１及び第２の板体１２２を有する。第１の板体１２１は、炭素鋼、ステンレス鋼（例えば、１７−４ＰＨステンレス鋼）、Ｆｅ−Ｍｎ−Ａｌ合金、チタン合金（例えば、Ｔｉ６Ａｌ４Ｖ又はＣＰＴｉチタン合金）、アルミニウム合金、銅合金などの金属材料など、高弾性変形機能を備えた材料からなる。第１の板体１２１は、前方打撃面１２１ａ、背面１２１ｂ及び側面１２１ｃを有し、前方打撃面１２１ａ及び背面１２１ｂは、それぞれ第１の板体１２１の両側に形成されている。前方打撃面１２１ａは、ボールを打撃するために用いられ、背面１２１ｂは、第２の板体１２２と結合するために用いられている。側面１２１ｃは、第１の板体１２１の一側の箇所で、クラブヘッド本体１１０のホーゼル部ｂに対向した箇所に形成されている。
【００１９】
図２及び図３を参照する。図２及び図３に示すように、第１実施形態の打撃面１２０の第２の板体１２２は、例えば、炭素鋼（例えば、Ｓ２０Ｃ又はＳ２０Ｃ炭素鋼）、ステンレス鋼（例えば、１７−４ＰＨステンレス鋼）、合金鋼、マグネシウム合金、ニッケル基合金、鋳鉄、超合金鋼、アルミニウム合金、銅合金などの金属材料など、高い吸振性を有し、第１の板体１２１の材料と異なる。第２の板体１２２は、結合正面１２２ａ、当接背面１２２ｂ及び側面１２２ｃを有する。結合正面１２２ａ及び当接背面１２２ｂは、それぞれ第２の板体１２２の両側に設けられている。結合正面１２２ａは、第１の板体１２１の背面１２１ｂと結合するために用いられ、当接背面１２２ｂは、クラブヘッド本体１１０の当接面１１２と結合するために用いられ、側面１２２ｃは、第２の板体１２２の一側に形成され、クラブヘッド本体１１０のホーゼル部ｂと対向する箇所に設けられている。その他、第２の板体１２２をクラブヘッド本体１１０との溶接性が良好な材料により形成することにより、クラブヘッド本体１１０と打撃面１２０との組立ての信頼性、特に溶接の信頼性を向上させることができる。
【００２０】
図２及び図３を参照する。図２及び図３に示すように、第１実施形態の結合ブロック１３０は、矩形状ブロックなどである。この結合ブロック１３０は、クラブヘッド本体１１０のホーゼル部ｂと打撃面１２０との間に接合されている。結合ブロック１３０は、第２の板体１２２との溶接性が良好な材料からなる。この材料は、例えば、炭素鋼（例えば、Ｓ２０Ｃ又はＳ２０Ｃ炭素鋼）、ステンレス鋼（例えば、１７−４ＰＨステンレス鋼）、合金鋼、マグネシウム合金、ニッケル基合金、鋳鉄、超合金鋼、アルミニウム合金、銅合金などの金属材料からなる。第１実施形態のゴルフクラブヘッド１００の構造において、第１の板体１２１の側面１２１ｃ及び第２の板体１２２の側面１２２ｃは、それぞれ結合ブロック１３０の一側に接合され、結合ブロック１３０の対向した他方の一側は、クラブヘッド本体１１０の当接壁１１３に接合され、したがって、打撃面１２０（第１の板体１２１及び第２の板体１２２）の一側は、結合ブロック１３０によりクラブヘッド本体１１０のホーゼル部ｂと結合されている。
【００２１】
ここで注意しなければならないことは、第１実施形態の第１の板体１２１、第２の板体１２２及び結合ブロック１３０は、それぞれ異なる材料からなり、第２の板体１２２は、クラブヘッド本体１１０及び結合ブロック１３０との溶接性が良好な材料からなり、結合ブロック１３０は、クラブヘッド本体１１０及び第２の板体１２２との溶接性が良好な材料からなる点である。例えば、第１の板体１２１がチタンからなり、クラブヘッド本体１１０が炭素鋼からなるとき、第２の板体１２２は炭素鋼からなり、結合ブロック１３０はステンレス鋼からなってもよい。
【００２２】
図２及び図３を参照する。図２及び図３に示すように、第１実施形態のゴルフクラブヘッド１００を組み立てる場合、まず第１の板体１２１と第２の板体１２２とを一体結合させて打撃面１２０を形成する。第１の板体１２１と第２の板体１２２との結合方法は、例えば、爆発溶接、プレス、粘着又はそれらを組み合わせた方法でもよい。爆発溶接又はプレスにより結合を行う場合、第１の板体１２１及び第２の板体１２２の対向する結合面（背面１２１ｂ及び結合正面１２２ａ）が一体成形され、爆発溶接層又はプレス層が形成される。或いは、粘着の結合方法を使用する場合、第１の板体１２１及び第２の板体１２２の対応する結合面（背面１２１ｂ及び結合正面１２２ａ）の間に粘着剤が塗布されて粘着層が形成されている。続いて、打撃面１２０、結合ブロック１３０及びクラブヘッド本体１１０を一体形成する。この結合ブロック１３０は、クラブヘッド本体１１０と打撃面１２０との間に接合され、この結合ブロック１３０がクラブヘッド本体１１０及び打撃面の第２の板体１２２との溶接性が良好な材料からなる。そのため、第１実施形態のゴルフクラブヘッド１００は、結合ブロック１３０により、クラブヘッド本体１１０と打撃面１２０との結合強度を高めることができる。打撃面の第２の板体１２２及びクラブヘッド本体１１０の当接面１１２は、例えば、アルゴン溶接、レーザ溶接、電子ビーム溶接、プラズマ溶接などの結合方法を使用したり、ろう付け、接着、嵌設又は螺合など、その他の結合方法を使用したりしてもよい。
【００２３】
ここで注意しなければならないことは、第１実施形態の結合ブロック１３０は、まず、打撃面１２０の一側（側面１２１ｃ及び側面１２２ｃ）に結合してから、クラブヘッド本体１１０と組み合わせてゴルフクラブヘッド１００を形成したり、まず、クラブヘッド本体１１０に打撃面１２０を結合するとともに、空間を残し、結合ブロック１３０を設置してゴルフクラブヘッド１００を結合したり、或いは、まず、クラブヘッド本体１１０に結合ブロック１３０を結合してから打撃面１２０と組み合わせてゴルフクラブヘッド１００を組み立ててもよい点である。しかし、第１実施形態のゴルフクラブヘッド１００の組み立てステップや順序は、上述したものだけに限定されるわけではない。当該分野の技術を熟知する者であれば、ステップや順序を任意に選択して適当に組み合わせ、同様のクラブヘッド構造を得ることができ、そのクラブヘッド構造も本考案の実用新案登録請求の範囲に含まれると解釈されるべきである。
【００２４】
第１実施形態のゴルフクラブヘッド１００は、結合ブロック１３０を介してクラブヘッド本体１１０と打撃面１２０との結合強度、特に、複合材料の板体で構成された打撃面１２０の結合強度を向上させることができる。これにより、ゴルフクラブヘッド１００全体の構造強度及び打撃効果を向上させる。
【００２５】
（第２実施形態）
図４を参照する。図４は、本考案の第２実施形態によるゴルフクラブヘッドを示す断面図である。第２実施形態のゴルフクラブヘッドは、結合構造が第１実施形態と異なる。以下、第２実施形態により、第１実施形態との相違点のみを説明し、類似する点については省略する。第１実施形態と異なり、第２実施形態の第１の板体２２１は、第２の板体２２２よりも長く、結合ブロック２３０の高さは、第２の板体２２２の高さと同じである。第２実施形態の第１の板体２２１の側面２２１ｃは、クラブヘッド本体１１０の当接壁１１３に直接結合され、結合ブロック２３０は、第１の板体２２１及び第２の板体２２２の長さの差異により形成された空間中で結合され、ゴルフクラブヘッドの結合構造の強度を高める。
【００２６】
（第３実施形態）
図５を参照する。図５は、本考案の第３実施形態によるゴルフクラブヘッドを示す断面図である。以下、第３実施形態により、第２実施形態との相違点のみを説明し、類似する点については省略する。第２実施形態と異なり、第３実施形態の第１の板体３２１は、上向き凸部３２１ａを有し、クラブヘッド本体１１０上に第１の板体３２１、第２の板体３２２及び結合ブロック３３０を組み合わせる時に、第１の板体３２１とクラブヘッド本体１１０との間にプレス空間ｅを形成し、このプレス空間ｅの中に第１の板体３２１の上向き凸部３２１ａをプレスするプレス工程を行い、ゴルフクラブヘッドの結合構造の強度を高める。
【００２７】
（第４実施形態）
図６を参照する。図６は、本考案の第４実施形態によるゴルフクラブヘッドを示す断面図である。第４実施形態のゴルフクラブヘッドは、結合構造が第１実施形態と異なる。以下、第４実施形態により、第１実施形態との相違点のみを説明し、類似する点については省略する。第１実施形態と異なり、第４実施形態の第２の板体４２２は、第１の板体４２１よりも長く、結合ブロック４３０の高さと第１の板体４２１との高さは同じである。第４実施形態の第２の板体４２２の側面４２２ｃは、クラブヘッド本体１１０の当接壁１１３に直接結合され、結合ブロック４３０は、第１の板体４２１と第２の板体４２２との長さの差異により形成された空間中で結合され、ゴルフクラブヘッドの結合構造の強度を高める。
【００２８】
（第５実施形態）
図７は、本考案の第５実施形態によるゴルフクラブヘッドを示す断面図である。第５実施形態のゴルフクラブヘッドは、結合構造が第１実施形態と異なる。以下、第５実施形態により、第１実施形態との相違点のみを説明し、類似する点については省略する。第１実施形態と異なり、第５実施形態の結合ブロック５３０はＬ字状ブロックであり、第１の板体５２１及び第２の板体５２２は、それぞれ板体の長さが異なり、Ｌ字状の結合ブロック５３０は、第１の板体５２１と第２の板体５２２との長さの差異により形成された空間中に設置されて結合され、ゴルフクラブヘッドの結合構造の強度を向上させることができる。
【００２９】
（第６実施形態）
図８は、本考案の第６実施形態によるゴルフクラブヘッドを示す断面図である。第６実施形態のゴルフクラブヘッドは、結合構造が第１実施形態と異なる。以下、第６実施形態により、第１実施形態との相違点のみを説明し、類似する点については省略する。第１実施形態と異なり、第６実施形態のクラブヘッド本体１１０の当接壁１１３ａは階段状であり、結合ブロック６３０は、形状がＬ字状であり、クラブヘッド本体１１０に結合された当接壁１１３ａに対応している。そのため、Ｌ字状の結合ブロック６３０によりクラブヘッド本体１１０の階段状の当接壁１１３ａに結合され、ゴルフクラブヘッドの結合構造の強度を向上させることができる。
【００３０】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【図面の簡単な説明】
【００３１】
【図１】従来のゴルフクラブヘッドを示す断面図である。
【図２】本考案の第１実施形態によるゴルフクラブヘッドを示す分解斜視図である。
【図３】本考案の第１実施形態によるゴルフクラブヘッドを示す断面図である。
【図４】本考案の第２実施形態によるゴルフクラブヘッドを示す断面図である。
【図５】本考案の第３実施形態によるゴルフクラブヘッドを示す断面図である。
【図６】本考案の第４実施形態によるゴルフクラブヘッドを示す断面図である。
【図７】本考案の第５実施形態によるゴルフクラブヘッドを示す断面図である。
【図８】本考案の第６実施形態によるゴルフクラブヘッドを示す断面図である。
【符号の説明】
【００３２】
ａ：サイド部、ｂ：ホーゼル部、ｃ：クラウン部、ｄ：ソール部、ｅ：プレス空間、１００：ゴルフクラブヘッド、１１０：クラブヘッド本体、１１１：開口、１１２：当接面、１１３、１１３ａ：当接壁、１１４：ホーゼル部、１２０：打撃面、１２１、２２１、３２１、４２１、５２１：第１の板体、１２１ａ：前方打撃面、１２１ｂ：背面、１２１ｃ、１２２ｃ、２２１ｃ、４２２ｃ：側面、１２２、２２２、３２２、４２２、５２２：第２の板体、１２２ａ：結合正面、１２２ｂ：当接背面、１３０、２３０、３３０、４３０、５３０、６３０：結合ブロック、３２１ａ：上向き凸部
【図１】
0003132561.tif 000003
【図２】
0003132561.tif 000004
【図３】
0003132561.tif 000005
【図４】
0003132561.tif 000006
【図５】
0003132561.tif 000007
【図６】
0003132561.tif 000008
【図７】
0003132561.tif 000009
【図８】
0003132561.tif 000010